(57)【特許請求の範囲】
【請求項１】
入射された光を、光の出射面に平行な面内で導く導光板と、
前記導光板の端面に設けられた複数の光源と
を備え、
前記複数の光源は、それぞれ前記導光板が光を導く導光方向に直交する方向の異なる位置から、前記導光板に光を入射し、
前記導光板は、
前記導光板によって導かれている光が入射し、空間上の１つの収束点又は収束線に実質的に収束する、又は、空間上の１つの収束点又は収束線から実質的に発散する方向の出射光を前記出射面から出射させる光学面をそれぞれ有する複数の光収束部
を有し、
前記複数の光収束部は、前記出射面に平行な面内でそれぞれ予め定められた線に沿って形成されており、
前記収束点又は収束線は前記複数の光収束部の間で互いに異なり、複数の前記収束点又は収束線の集まりによって空間上に像が形成され、
前記複数の光収束部のうち、前記出射面から第１の距離だけ離れた点を含む予め定められた範囲内に実質的に収束する又は前記出射面から第１の距離だけ離れた点を含む予め定められた範囲内から実質的に発散する方向の出射光を前記出射面から出射させる第１の光収束部は、前記第１の光収束部が出射させる出射光の前記収束点又は収束線によって形成される像の広がりが、前記複数の光収束部のうち、前記出射面から前記第１の距離より長い第２の距離だけ離れた点を含む予め定められた範囲内に実質的に収束する又は前記出射面から前記第２の距離だけ離れた点を含む予め定められた範囲内から実質的に発散する方向の出射光を前記出射面から出射させる第２の光収束部が出射させる出射光の前記収束点又は収束線によって形成される像の広がりと略一致するように、少なくとも複数の前記第１の光収束部が前記導光方向に直交する方向に位置をずらしながら、前記第２の光収束部より多く設けられる
光デバイス。
【請求項２】
前記予め定められた範囲は、前記導光方向に直交する方向に沿う範囲である
請求項１に記載の光デバイス。
【請求項３】
前記第１の光収束部は、前記第１の距離が短いほど多く設けられる
請求項１又は２に記載の光デバイス。
【請求項４】
前記第２の光収束部は、前記収束点又は収束線のうち、前記出射面から最も離れた収束点又は収束線に実質的に収束する、又は、前記出射面から最も離れた収束点又は収束線から実質的に発散する方向の出射光を前記出射面から出射させ、
前記複数の光源が前記異なる位置から前記導光板に光を入射することによって、前記第２の光収束部が出射させる出射光の前記収束点又は収束線は、前記導光板が光を導く導光方向に直交する方向に広がりを有し、
前記第１の光収束部は、前記第２の光収束部が出射させる出射光の前記収束点又は収束線の前記広がりが大きいほど、多く設けられる
請求項１から３のいずれか１項に記載の光デバイス。
【請求項５】
前記収束点又は収束線の集まりによって形成される前記像は、線で表される像である
請求項１から４のいずれか１項に記載の光デバイス。
【請求項６】
前記出射面から特定の距離だけ離れた点を含む予め定められた範囲内に実質的に収束する又は特定の距離だけ離れた点を含む予め定められた範囲内から実質的に発散する方向の出射光を前記出射面から出射させる複数の光収束部の数が多いほど、当該複数の光収束部における光収束部１つあたりの出射光の光度が小さい
請求項１から５のいずれか一項に記載の光デバイス。
【請求項７】
請求項１から６のいずれか１項に記載の光デバイスと、
ユーザインタフェース部と
を備え、
前記光デバイスは、前記ユーザインタフェース部の位置をユーザに示す前記像を形成する
光システム。
【発明の詳細な説明】
【技術分野】
【０００１】
本発明は、光デバイス及び光システムに関する。
【背景技術】
【０００２】
導光板と、光源と、導光板の表面側に配置した、パララックスバリア方式又はレンズアレイ方式におけるマスク又はレンズアレイとを備えた、立体視可能な表示装置が知られている（例えば、特許文献１参照。）。
特許文献１  特開２０１２−００８４６４号公報
【発明の概要】
【発明が解決しようとする課題】
【０００３】
例えば導光板の入光端面の異なる位置から光を入射した場合、導光板からの出射光の出射角度が入光位置によって異なる場合がある。そのため、出射光を所望の方向に向かわせることができない場合がある。その結果、出射光で形成される１つの像の中でぼけに違いが生じてしまう場合がある。
【課題を解決するための手段】
【０００４】
第１の態様においては、光デバイスは、入射された光を、光の出射面に平行な面内で導く導光板と、導光板が光を導く導光方向に直交する方向の異なる位置から、導光板に光を入射する光源とを備え、導光板は、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の光収束部を有し、収束点又は収束線は複数の光収束部の間で互いに異なり、複数の収束点又は収束線の集まりによって空間上に像が形成され、複数の光収束部のうち、出射面から第１の距離だけ離れた点を含む予め定められた範囲内に実質的に収束する又は出射面から第１の距離だけ離れた点から予め定められた範囲内から実質的に発散する方向の出射光を出射面から出射させる第１の光収束部は、第１の光収束部が出射させる出射光の前記収束点又は収束線によって形成される像の広がりが、複数の光収束部のうち、出射面から第１の距離より長い第２の距離だけ離れた点を含む予め定められた範囲内に実質的に収束する又は出射面から第２の距離だけ離れた点を含む予め定められた範囲内から実質的に発散する方向の出射光を出射面から出射させる第２の光収束部が出射させる出射光の収束点又は収束線によって形成される像の広がりと略一致するように、第１の光収束部が第２の光収束部より多く設けられる。
【０００５】
予め定められた範囲は、導光方向に直交する方向に沿う範囲であってよい。
【０００６】
第１の光収束部は、第１の距離が短いほど多く設けられてよい。
【０００７】
第２の光収束部は、収束点又は収束線のうち、出射面から最も離れた収束点又は収束線に実質的に収束する又は出射面から最も離れた収束点又は収束線から実質的に発散する方向の出射光を出射面から出射させ、光源が異なる位置から導光板に光を入射することによって、第２の光収束部が出射させる出射光の収束点又は収束線は、導光板が光を導く導光方向に直交する方向に広がりを有し、第１の光収束部は、第２の光収束部が出射させる出射光の収束点又は収束線の広がりが大きいほど、多く設けられてよい。
【０００８】
第１の光収束部は、導光方向に直交する方向に異なる位置に設けられてよい。
【０００９】
収束点又は収束線の集まりによって形成される像は、線で表される像であってよい。
【００１０】
複数の光収束部は、出射面に平行な面内でそれぞれ予め定められた線に沿って形成されていてよい。
【００１１】
出射面から特定の距離だけ離れた点を含む予め定められた範囲内に実質的に収束する又は特定の距離だけ離れた点を含む予め定められた範囲内から実質的に発散する方向の出射光を出射面から出射させる複数の光収束部の数が多いほど、当該複数の光収束部における光収束部１つあたりの出射光の光度が小さくてよい。
【００１２】
第２の態様において、光システムは、上記の光デバイスと、ユーザインタフェース部とを備え、光デバイスは、ユーザインタフェース部の位置をユーザに示す像を形成する。
【００１３】
なお、上記の発明の概要は、本発明の特徴の全てを列挙したものではない。また、これらの特徴群のサブコンビネーションもまた、発明となりうる。
【図面の簡単な説明】
【００１４】
【図１】一実施形態における表示装置１０を、空間上に投影される立体像と共に概略的に示す。
【図２】光収束部３０ｄによる出射光が収束する定点が光源によってずれる様子を概略的に示す斜視図である。
【図３】一部の光収束部３０により形成される像２０６を示す。
【図４】導光板７０における定点ＰＡ、ＰＢ及びＰＣに対応する光収束部３０を概略的に示す。
【図５】表示装置１０により表示される像６のぼけを模式的に示す。
【図６】表示装置１０を改札機に利用した場合の利用例を概略的に示す。
【図７】光収束部３０の変形例としての光収束部１３０及び光収束部１３２を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、一実施形態における表示装置１０を、空間上に投影される立体像と共に概略的に示す。なお、分かり易く説明することを目的として、実施形態の説明に用いる図は概略的又は模式的なものとする。実施形態の説明に用いる図は、実際のスケールで描かれていない場合がある。
【００１７】
表示装置１０は、光を出射する出射面７１を有する。表示装置１０は、出射面７１から出射する光によって、立体像としての像６を形成する。像６は、ユーザによって空間上に認識される立体像である。なお、立体像とは、表示装置１０の出射面７１とは異なる位置にあるように認識される像をいう。立体像とは、例えば、表示装置１０の出射面７１から離れた位置に認識される２次元像も含む。つまり、立体像とは、立体的な形状として認識される像だけでなく、表示装置１０の表示面上とは異なる位置に認識される２次元的な形状の像も含む概念である。
【００１８】
表示装置１０は、導光板７０と、光源部２０とを備える。導光板７０は、透明で屈折率が比較的に高い樹脂材料で成形される。導光板７０を形成する材料は、例えばポリカーボネート樹脂（ＰＣ）、ポリメチルメタクリレート樹脂（ＰＭＭＡ）、ガラス等であってよい。
【００１９】
導光板７０は、出射面７１とは反対側の背面７２とを有する。また、導光板７０は、導光板７０の四方の端面である端面７３、端面７４、端面７５及び端面７６を有する。端面７３は、導光板７０の入光端面である。端面７３には光源部２０が設けられ、光源部２０からの光は、端面７３から導光板７０に入射する。端面７４は、端面７３とは反対側の面である。端面７６は、端面７５とは反対側の面である。導光板７０は、光源部２０からの光を出射面７１に平行な面内で面状に広げて導く。
【００２０】
なお、実施形態の説明において、ｘ軸、ｙ軸及びｚ軸の右手系の直交座標系を用いる場合がある。ｚ軸方向を、出射面７１に垂直な方向で定める。背面７２から出射面７１への向きをｚ軸プラス方向と定める。また、ｙ軸方向を、端面７３に垂直な方向で定める。端面７３から端面７４への向きをｙ軸プラス方向と定める。ｘ軸は、端面７５及び端面７６に垂直な方向であり、端面７５から端面７６への向きをｘ軸プラス方向と定める。なお、記載が冗長にならないよう、ｘｙ平面に平行な面のことをｘｙ面、ｙｚ平面に平行な面のことをｙｚ面、ｘｚ平面に平行な面のことをｘｚ面と呼ぶ場合がある。
【００２１】
光源部２０は、光源２１、光源２２及び光源２３を備える。光源２１、光源２２及び光源２３は、例えばＬＥＤ光源である。このように、複数の光源を用いることで、像６の輝度が高まる。光源２１の光軸、光源２２の光軸及び光源２３の光軸は共に、端面７３に略直交する。ここで、光源２１、光源２２及び光源２３のそれぞれのｘ方向の位置は互いに異なる。このように、光源２１、光源２２及び光源２３は、導光板７０が光を導く導光方向（例えば、ｙ軸方向）に直交する方向の異なる位置から、導光板７０に光を入射する。
【００２２】
導光板７０の背面７２には、光収束部３０ａ、光収束部３０ｂ及び光収束部３０ｃを含む複数の光収束部３０が形成されている。光収束部３０はｘ軸方向に実質的に連続して形成されている。具体的には、光収束部３０ａは、線１９０ａに沿って形成されている。光収束部３０ｂは、線１９０ｂに沿って形成されている。光収束部３０ｃは、線１９０ｃに沿って形成されている。ここで、線１９０ａ、線１９０ｂ及び線１９０ｃは、ｘ軸に略平行な直線である。任意の光収束部３０は、ｘ軸に略平行な直線に沿って実質的に連続的に形成される。各光収束部３０のｘ軸方向の各位置には、導光板７０によって導かれている光が入射する。
【００２３】
ここで、光源２１、光源２２及び光源２３のうちの１つの光源からの光が光収束部３０に入射した場合の出射光について説明する。光収束部３０は、光収束部３０の各位置に入射した光を、光収束部３０にそれぞれ対応する定点に実質的に収束させる。図１には、光収束部３０の一部として、光収束部３０ａ、光収束部３０ｂ及び光収束部３０ｃが特に示され、光収束部３０ａ、光収束部３０ｂ及び光収束部３０ｃのそれぞれにおいて、光収束部３０ａ、光収束部３０ｂ及び光収束部３０ｃのそれぞれから出射された複数の光線が収束する様子が示されている。
【００２４】
具体的には、光収束部３０ａは、像６上の定点ＰＡに対応する。光収束部３０ａの各位置からの光線は、定点ＰＡに収束する。したがって、光収束部３０ａからの光の波面は、定点ＰＡから発するような光の波面となる。光収束部３０ｂは、像６上の定点ＰＢに対応する。光収束部３０ｂからの各位置からの光線は、定点ＰＢに収束する。このように、任意の光収束部３０の各位置からの光線は、光収束部３０に対応する定点に実質的に収束する。これにより、任意の光収束部３０によって、対応する定点から光が発するような光の波面を提供できる。各光収束部３０が対応する定点は互いに異なり、光収束部３０にそれぞれ対応する複数の定点の集まりによって、空間上に認識される像６が形成される。このようにして、表示装置１０は空間上に立体像を投影する。なお、一例として、像６は、線で描かれる像であり、像６を描く線は、光収束部３０にそれぞれ対応する複数の定点の集まりによって実質的に形成される。
【００２５】
本実施形態において、光収束部３０のそれぞれは、ｘ軸方向に実質的に連続して形成された多数の反射面を含む。任意の光収束部３０がそれぞれの有する反射面の反射光は、光収束部３０に対応する定点に収束する。例えば、光収束部３０ａが有する複数の反射面のそれぞれによる複数の反射光の光線は、定点ＰＡに収束する。また、光収束部３０ｂが有する複数の反射面のそれぞれによる複数の反射光の光線は、定点ＰＢに収束する。また、光収束部３０ｃが有する複数の反射面のそれぞれによる複数の反射光の光線は、定点ＰＣに収束する。
【００２６】
ｘｙ面内において、導光板７０によって導かれて導光板７０内の各位置を通過する光束は、導光板７０内の各位置と光源とを結ぶ方向を中心として、所定値より小さい広がり角を持つ。光収束部３０が光源から離れた位置に設けられている場合、導光板７０によって導かれて光収束部３０に入射する光は、概ねｙ軸方向を中心とする広がりの小さな光になる。したがって、例えば定点ＰＡを含みｘｚ平面に平行な面では、光収束部３０ａからの光は実質的に１つの定点に収束する。なお、本明細書において、導光板内外の点を通過する光束の広がりとは、当該光束がその点から発散する光とみなした場合の光の広がりのことをいう。また、導光板内外の点を通過する光束の広がりのことを、単に光の広がりと呼ぶ場合がある。
【００２７】
なお、光収束部３０に入射する光にｚ方向に広がりがある場合、光収束部３０からの光は、空間上の定点を含む、ｙ軸に沿う線上に収束する。しかし、実施形態を分かり易く説明することを目的として、ｘｚ面内における光の収束に注目し、光収束部３０からの光が定点に収束するとして説明する場合がある。
【００２８】
このように、光収束部３０は、出射面７１に平行な面内でそれぞれ予め定められた線に沿って形成されている。そして、光収束部３０のそれぞれは、導光板７０によって導かれている光が入射し、空間上の１つの収束点に実質的に収束する方向の出射光を出射面７１から出射させる。なお、定点が導光板７０の背面７２側の場合は、出射光は、定点から発散する方向の光となる。したがって、定点が導光板７０の背面７２側の場合、光収束部３０が有する反射面は、空間上の１つの収束点から実質的に発散する方向の出射光を出射面７１から出射させる。なお、後述するように、光収束部３０は、それぞれフレネルレンズの一部により形成されてよい。
【００２９】
図２は、光収束部３０ｄによる出射光が収束する定点が光源によってずれる様子を概略的に示す斜視図である。図２（ａ）は、観察者側の定点（収束点）のずれを概略的に示す。図２（ｂ）は、観察者側とは反対側の定点（発散点）のずれを概略的に示す。
【００３０】
光源２１からの光が光収束部３０ｄに入射した場合、光収束部３０ｄからの出射光は定点Ｐに収束する。一方、光源２２からの光が光収束部３０ｄに入射した場合、光収束部３０ｄからの出射光は定点Ｐ'に収束する。また、光源２３からの光が光収束部３０ｄに入射した場合、光収束部３０ｄからの出射光は定点Ｐ''に収束する。したがって、光源２１からの光、光源２２からの光及び光源２３からの光を共に導光板７０に入射した場合、光収束部３０ｄからの出射光の収束度が低くなる。特に、定点Ｐが導光板７０から離れているほど、出射光の収束度が低くなる。そのため、表示装置１０が形成する像において、導光板７０から離れた点がぼけて見える場合がある。
【００３１】
観察者側とは反対側の定点（発散点）も同様である。図２（ｂ）に示されるように、光源２１からの光が光収束部３０ｄに入射した場合、光収束部３０ｄからの出射光は、定点Ｑから発散するような光となる。一方、光源２２からの光が光収束部３０ｄに入射した場合、光収束部３０ｄからの出射光は、定点Ｑ'から発散するような光となる。また、光源２３からの光が光収束部３０ｄに入射した場合、光収束部３０ｄからの出射光は、定点Ｑ''から発散するような光となる。したがって、光源２１からの光、光源２２からの光及び光源２３からの光を共に導光板７０に入射した場合、表示装置１０が形成する像において、導光板７０から離れた点がぼけて見える場合がある。
【００３２】
図３は、一部の光収束部３０により形成される像２０６を示す。像２０６は、一点につき１つの光収束部３０で形成した場合の像である。例えば、像２０６は、定点ＰＡを光収束部３０ａの出射光で形成し、定点ＰＢを光収束部３０ｂの出射光で形成し、定点ＰＣを光収束部３０ｃの出射光で形成した場合の像である。
【００３３】
図示されるように、定点ＰＡ、ＰＢ及びＰＣのうち、像２０６のぼけが最も大きい定点は、導光板７０からの距離が最も長いＰＣである。像２０６のぼけが最も大きい定点は、導光板７０からの距離が最も短いＰＡである。このため、１つの像２０６の中でのぼけ、すなわち像の広がりに、差が生じる。
【００３４】
図４は、導光板７０における定点ＰＡ、ＰＢ及びＰＣに対応する光収束部３０を概略的に示す。定点ＰＣは、１つの光収束部３０ｃのみの出射光で形成する。
【００３５】
定点ＰＢは、光収束部３０ｂに加えて、光収束部３０ｉ及び光収束部３０ｊの合計３個の光収束部３０の出射光で形成する。光収束部３０ｂ、光収束部３０ｉ及び３０ｊは、中心位置は、導光板７０の導光方向に直交する方向（例えば、ｘ軸方向）にずれている。このため、定点ＰＢ近傍の像を、少なくともｘ軸方向にぼかすことができる。
【００３６】
また、定点ＰＡは、光収束部３０ａに加えて、光収束部３０ｅ〜光収束部３０ｈの合計５個の光収束部３０の出射光で形成する。光収束部３０ａ及び光収束部３０ｅ〜光収束部３０ｈの中心位置は、導光板７０の導光方向に直交する方向（例えば、ｘ軸方向）にずれている。このため、定点ＰＡ近傍の像を少なくともｘ軸方向にぼかすことができる。
【００３７】
図５は、表示装置１０により表示される像６のぼけを模式的に示す。図４に関連して説明したように、定点ＰＡに対応する像は、５個の光収束部３０の出射光で形成される。これにより、定点ＰＡの近傍の像は、拡大図５５０ａに示されるように、比較的にぼけが小さい５個の点で形成される。これらの点は互いに位置がずれているので、定点ＰＡの近傍の像はぼけて見える。
【００３８】
また、定点ＰＢに対応する像は、互いに位置がずれた３個の光収束部３０の出射光で形成される。これにより、定点ＰＢの近傍の像は、拡大図５５０ｂに示されるように、定点ＰＡの像よりぼけが比較的に大きい３個の点で形成される。これらの点は互いに位置がずれているので、定点ＰＢの近傍の像はぼけて見える。
【００３９】
一方、定点ＰＣに対応する像は、光収束部３０ｃのみの出射光で形成される。光収束部３０ｃの出射光による像は広がりが大きい。そのため、拡大図５５０ｃに示されるように、定点ＰＢの近傍の像はぼけて見える。
【００４０】
このように、表示装置１０によれば、距離が導光板７０から定点までの距離が近いほど、位置が互いに異なるより多くの光収束部３０の出射光で当該定点を形成する。そのため、像６にぼけが生じるものの、ぼけ量、すなわち像の広がりが略一定の像６を形成できる。そのため、観察者に与える違和感を低減できる。
【００４１】
なお、像６の輝度を一定する必要がある場合、各定点を含む予め定められた範囲内に向かう光収束部３０の数が多いほど、１つの光収束部３０からの出射光の光度を小さくすることが望ましい。例えば、上記の例のように、定点ＰＣを１つの光収束部３０ｃで形成し、定点ＰＡの近傍を５個の光収束部３０で形成する場合、定点ＰＡの近傍を形成する５個の光収束部３０のそれぞれの出射光の光度は、光収束部３０ｃの出射光の光度の約１／５であることが望ましい。一般には、Ｎ個の光収束部３０の出射光で１つの定点近傍の像を形成する場合、光収束部１つあたりの出射光の光度がＮに略反比例することが望ましい。光収束部３０の出射光の光度は、光収束部３０が有する反射面の面積で調整してよい。
【００４２】
図６は、表示装置１０を改札機に利用した場合の利用例を概略的に示す。図６は、改札機システム７５０の全体を示す概略的な斜視図である。改札機システム７５０は、表示装置１０を備える光システムの一例である。
【００４３】
改札機システム７５０は、改札機本体７５２と、表示装置１０とを備える。改札機本体７５２は、通信部７０１と表示部７０２とを有する。通信部７０１及び表示部７０２は、ユーザインタフェース部の一例であり、ユーザと改札機本体７５２との間のインタフェースを提供する。
【００４４】
通信部７０１は、近接通信を利用して、ユーザが所持する非接触型通信デバイスと通信する。通信部７０１は、近接通信によって非接触型通信デバイスと通信する。非接触型通信デバイスとしては、ＩＣカード乗車券等のＩＣカード、非接触型通信機能を持つ携帯電話等を例示できる。表示部７０２は、ユーザに情報を表示する。例えば、表示部７０２は、非接触型通信デバイスに記憶されている電子マネーの残高等を表示する。
【００４５】
表示装置１０は、表示部７０２上に設けられる。表示装置１０による像６は、表示部７０２の位置をユーザに提示する。像６は、ユーザからは、表示部７０２の上方の空間に位置するように認識される。図６に示されるように、表示装置１０によれば、表示部７０２の上方の空間に認識される像６を形成できる。また、表示装置１０は全体として透明であるので、ユーザは、表示部７０２上のマークをユーザが視認することができる。
【００４６】
なお、表示装置１０と同様の構成の表示装置を通信部７０１上に設けることによって、通信部７０１の位置をユーザに示す像を、通信部７０１上の空間に形成してもよい。
【００４７】
図７は、光収束部３０の変形例としての光収束部１３０及び光収束部１３２を概略的に示す。図７（ａ）は、フレネルレンズの一部により形成された１つの光収束部１３０を概略的に示す。なお、フレネルレンズとして機能する光収束部１３０の複数の屈折面（プリズム面）の間には、隙間が設けられてよい。
【００４８】
図７（ｂ）に示す光収束部１３２は、光収束部１３０を、ｘ軸方向に沿って複数の部分１４０ａ、部分１４０ｂ、部分１４０ｃ、部分１４０ｄ、部分１４０ｅ、部分１４０ｆ、部分１４０ｇ及び部分１４０ｈに分割したものに対応する。光収束部１３２の各部分１４０のそれぞれからの光は、同一の定点に収束する。このように、光収束部を複数の部分に分割することで、いわゆるブラックマトリックス効果が生じて、像のコントラストが高まる場合がある。なお、反射面やフレネルレンズの他に、光収束部３０として回折格子を用いてもよい。
【００４９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５０】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５１】
６  像
１０  表示装置
２０  光源部
２１、２２、２３  光源
３０  光収束部
７０  導光板
７１  出射面
７２  背面
７３、７４、７５、７６  端面
１３０、１３２  光収束部
１４０  部分
１９０  線
７０１  通信部
７０２  表示部
７５０  改札機システム
７５２  改札機本体
【図１】
0006638274.tif 000002
【図２】
0006638274.tif 000003
【図３】
0006638274.tif 000004
【図４】
0006638274.tif 000005
【図５】
0006638274.tif 000006
【図６】
0006638274.tif 000007
【図７】
0006638274.tif 000008